Podtech/llm-jp-corpus-v4-ja_patent huggingface dataset:
(57)【要約】      （修正有）【課題】装飾効果を高めることができる物品の装飾構造を提供する。【解決手段】スマートフォンの背面（ディスプレイ面と反対の面）を覆う背面板１０と、この背面板１０の周縁部から背面板１０の厚み方向に張り出して、スマートフォンの周面部を覆うと共にスマートフォンを保持する張出片とを備えたスマートフォンケース１の装飾構造であって、背面板１０は、スマートフォンに搭載されたカメラ等を露出させる開口部１１と、内部空間が密閉された二重壁構造部１２とを有しており、二重壁構造部１２の内部空間には、若干の空気Ａを残した状態で、化粧水３０及び装飾体４０が移動可能に封入されている。装飾体４０は、フォログラムフィルムを微小な円形状にカットした多数のフォログラム微小片４１と、桜の花の図形をフィルムに印刷してその形状にカットした、フォログラム微小片４１よりも大きい複数の表示片４２とから構成されている。【選択図】図１
0003228420.tif 000002
【実用新案登録請求の範囲】
【請求項１】
内部空間が密閉された二重壁構造部と、
前記二重壁構造部の内部空間に移動可能に封入された液体及び装飾体とを備え、
前記二重壁構造部は、少なくとも一方の壁が透明であり、
前記装飾体は、マーク、図または画像が表示された表示片を含んでいることを特徴とする物品の装飾構造。
【考案の詳細な説明】
【技術分野】
【０００１】
この考案は、スマートフォンのケースやコースタ等の種々の物品の装飾構造に関する。
【背景技術】
【０００２】
例えば、スマートフォンケースの装飾構造としては、スマートフォンの背面を覆う部分を、内部空間が密閉された透明な二重壁構造とし、その密閉された内部空間に光沢のある粒状物等を化粧水と共に移動可能に封入すると共に、二重壁構造の外壁の外面にキャラクタ等の種々の図を印刷したものがある。
【先行技術文献】
【特許文献】
【０００３】
【特許文献１】特開２００１−１３７０２０号公報
【考案の概要】
【考案が解決しようとする課題】
【０００４】
こういった装飾構造を有するスマートフォンケースは、透明な二重壁構造部内に封入された光沢のある粒状物が移動することにより意匠が変化するので、装飾性に優れているといえるが、二重壁構造部の外壁に印刷されたキャラクタ等の種々の図は変化することはないので、斬新さに欠けると言った問題がある。
【０００５】
そこで、この考案の課題は、さらに装飾効果を高めることができる物品の装飾構造を提供することにある。
【課題を解決するための手段】
【０００６】
上記の課題を解決するため、請求項１に係る考案は、内部空間が密閉された二重壁構造部と、前記二重壁構造部の内部空間に移動可能に封入された液体及び装飾体とを備え、前記二重壁構造部は、少なくとも一方の壁が透明であり、前記装飾体は、マーク、図または画像が表示された表示片を含んでいることを特徴とする物品の装飾構造を提供するものである。
【考案の効果】
【０００７】
以上のように、請求項１に係る考案の物品の装飾構造では、二重壁構造部の密閉された内部空間にマーク、図または画像が表示された表示片が封入されており、この表示片が二重壁構造部内で移動することになるので、二重壁構造部の内部空間に光沢のある粒状物等を移動可能に封入しただけの従来の装飾構造や二重壁構造の外壁の外面にキャラクタ等の種々の図を印刷した従来の装飾構造に比べて装飾性が向上する。例えば、企業のハウスマーク等を表示した表示片を封入しておくことで、二重壁構造部の外壁に企業のハウスマークを単に印刷しただけのものに比べて宣伝効果も向上する。
【図面の簡単な説明】
【０００８】
【図１】この考案に係る一実施形態であるスマートフォンケースを示す平面図である。
【図２】図１のＸ−Ｘ線に沿った断面図である。
【考案を実施するための形態】
【０００９】
以下、実施の形態について図面を参照して説明する。図１はスマートフォンに装着されるスマートフォンケース１を示している。このスマートフォンケース１は、透明なプラスチックによって形成されており、図２に示すように、スマートフォンＳＰの背面（ディスプレイ面と反対の面）を覆う背面板１０と、この背面板１０の周縁部から背面板１０の厚み方向に張り出して、スマートフォンＳＰの周面部を覆うと共にスマートフォンＳＰを保持する張出片２０とを備えている。
【００１０】
前記背面板１０は、スマートフォンＳＰに搭載されたカメラ等を露出させる開口部１１と、内部空間が密閉された二重壁構造部１２とを有しており、二重壁構造部１２の内部空間には、若干の空気Ａを残した状態で、化粧水３０及び装飾体４０が移動可能に封入されている。
【００１１】
前記装飾体４０は、フォログラムフィルムを微小な円形状にカットした多数のフォログラム微小片４１と、桜の花の図形をフィルムに印刷してその形状にカットした、フォログラム微小片４１よりも大きい複数の表示片４２とから構成されており、スマートフォンケース１を傾けることにより、二重壁構造部１２の密閉された内部空間内をフォログラム微小片４１及び表示片４２が移動するようになっている。
【００１２】
以上のように、このスマートフォンケース１では、二重壁構造部１２の密閉された内部空間に封入された表示片４２がフォログラム微小片４１と共に二重壁構造部１２内を移動するので、二重壁構造部１２の内部空間に化粧水と共に多数のフォログラム微小片だけを移動可能に封入した場合や、その二重壁構造部の外壁に桜の花の図形をさらに印刷した場合に比べて装飾性が向上する。
【００１３】
なお、このスマートフォンケース１では、桜の花の図形をフィルムに印刷してその形状にカットした表示片４２を採用しているが、これに限定されるものではなく、表示片には、種々のマーク、図または画像が表示されていればよい。特に、企業のハウスマーク等を表示した表示片を封入しておくことで、二重壁構造部の外壁に企業のハウスマークを単に印刷しただけのものに比べて宣伝効果も向上する。
【００１４】
また、上述した実施形態では、表示片４２をフォログラム微小片４１と共に二重壁構造部１２の内部空間に封入しているが、これに限定されるものではなく、フォログラム微小片４１に替えて着色された砂等の粒状物を採用することも可能であり、表示片だけを化粧水と共に二重壁構造部１２の内部空間に封入してもよい。
【００１５】
また、上述した実施形態では、二重壁構造部１２の内部空間に化粧水を封入しているが、これに限定されるものではなく、水道水や油等、種々の液体を適宜選択することができる。
【００１６】
また、上述した実施形態では、スマートフォンケースの装飾構造について説明したが、これに限定されるものではなく、本考案の装飾構造は、コースタ、イヤホンケース、手鏡等の種々の物品に適用することができる。
【産業上の利用可能性】
【００１７】
本考案は、種々の物品に装飾を施す場合に利用することができる。
【符号の説明】
【００１８】
１  スマートフォンケース
１０  背面板
１１  開口部
１２  二重壁構造部
２０  張出片
３０  化粧水
４０  装飾体
４１  フォログラム微小片
４２  表示片
Ａ  空気
ＳＰ  スマートフォン
【図１】
0003228420.tif 000003
【図２】
0003228420.tif 000004
(57)【要約】      （修正有）【課題】量産可能で安価、飛沫、空気感染の異なる環境下にも対応できて水洗いすることで数回で有れば繰り返し使えるＰＥＴマスクを提供する。【解決手段】ＰＰ、ＰＥＴシートで半球形にマスク本体Ａを成形し口元に通気口１を開ける。マスク外側から通気口全部を覆い空気の流れを両側に迂回させる別パネルＢを脱着可能に取り付ける。マスクと別パネルの距離差から生ずる隙間に滅菌フィルターを挿入することで呼吸する空気を滅菌する。【選択図】図２
0003228410.tif 000002
【実用新案登録請求の範囲】
【請求項１】
ＰＥＴやＰＰの可塑性透明樹脂シートを半球形のマスク型に成形し、凹面側を口に被せた際、口、鼻の直近部分に通気用の開口穴を設け、この穴の前面を覆い隠す別パネルを脱着可能に取り付けたことを特徴とする透明なＰＥＴマスク。
【請求項２】
上記ＰＥＴマスクの前面通気口全部を覆う別パネルの縦寸法はマスク本体の嵌合穴間の寸法よりも長く、パネルとマスクの間に寸法差から形成される三日月型の隙間幅は寸法差に依って増減できて呼吸気を両側に迂回させることを特徴とする請求項１の透明なＰＥＴマスク。
【請求項３】
上記ＰＥＴマスク本体と別パネルとの嵌合位置までの寸法差異によって形成される三日月型の空間に細菌濾過効果を有する滅菌用のエアーフィルターが挿入できることを特徴とする請求項１のＰＥＴマスク。
【請求項４】
上記ＰＥＴマスクの外周縁は顔面の曲線に密着する３次元曲線で有って、マスクの外側即ち凸面側にカールされていることを特徴とする請求項１の透明ＰＥＴマスク。
【考案の詳細な説明】
【技術分野】
【０００１】唾液、くしゃみに含まれるウイルの飛沫感染、空気中の浮遊ウイルスによる経口感染、いずれの環境下でもマスクの構造そのもの、更には別パネルを応用することで各々の環境に対応して感染を回避でき、安価で日常に使用できる透明なＰＥＴ素材のマスクに関する。
【背景技術】
【０００２】現在市販されているマスクは布製、不織布製、成形製に大別される。
布製は素材の布を特に限定しなければ誰でも作ることができるが、手間が掛り裁断知識とミシンの習得が必要である。
量産するには複数の人間とミシンの設備を用意しなければならない。
不織布は安価であるが通気性と高周波加工が可能な種類の不織布が必要になる。量産に適合した裁断設備と高周波機械を自動化して流れ作業の効率を得る設備を揃えなければならない。
塩ビＰＰ，ＰＥの成形製は専門的な防御フィルターを備えた医療用の高度なものと防塵を目的とした成形品が有り、顔との間に通気性を得る布を挟むか高機能な通気弁を備えなければならない。
その他発泡倍率の高い連続気泡のウレタンをスライスして仕立てるタイプも有るが性能は低い。
【先行技術文献】
【０００３】
【特許文献】
【特許文献】特開２００９−０１１４７５  特開２００９−１８９６７６  特表２００６−５２５８２３  特開２０１３−０４６６４７  特表２０１９−５０１７２１
【考案の概要】
【考案が解決しようとする課題】
【０００４】生産工程がシンプルで量産効果が高く、突発的な市場要求にもすぐに対応できて、尚且つ安価で接客業の様に日常的に人に対面する環境下でも飛沫感染、空気ウイルスに対応して回避できる透明なマスクを提供する。
【課題を解決するための手段】
【０００５】ＰＥＴ透明シートに真空成型機を使って半球形型のマスクを形成し凹側を顔に被せた状態で口にあたる位置に呼吸用の開口穴を設け、この開口穴を別パネルで外側から覆う。
ＰＥＴマスクとパネルを係留する嵌合爪の位置は常に別パネル側が長くマスクとの間に三日月型の通気空間が生じる。
人の呼吸通路は別パネルの側面を迂回し外気と直線で繋がらずクランク状に流れるので飛沫の直接侵入が低減できる。【０００６】別パネルの両側に内折れの庇を追加することで通気口を脇からも覆い飛沫の遮断効果は更に上がる。
飛沫環境下で有っても呼吸は楽にできる。【０００７】空気ウイルスに対して別パネルとＰＥＴマスクとの間に寸法差に依って生じた三日月形の空間に滅菌フィルターを挿入することで呼吸気を直接除菌できる。
空気孔を追加して通気量を増やした別パネルに環境に適合した滅菌剤や香料を含浸したフィルターを接着する。
更に外観のカラー展開、イラストの追加等の方法で使用価値を上げることができる。
【考案の効果】
【０００８】ＰＥＴマスクの生産には樹脂型に比べて金型代が安く、現在有る設備を使うことができ、１個当たりのコストが安く短期での量産が可能である。【０００９】顔が見えるので表情、口読効果が失われない。
布マスクなど他の密着型のマスクよりも会話が明瞭である。
【図面の簡単な説明】
【００１０】
【図１】ＰＥＴマスク本体の正面図である。
【図２】ＰＥＴマスク本体に別パネルを装着した正面図である。
【図３】ＰＥＴマスク本体に別パネルを装着した側面図である。
【図４】滅菌フィルターを接着した別パネルを装着したＰＥＴマスクＥ―Ｅ’の断面図である。
【符号の説明】
【００１１】Ａ，マスク本体
Ｂ，別パネル
Ｃ，滅菌フィルター３Ｄ
１、通気穴
２、嵌合穴
３、保持紐
４、円周外巻きカール
５、別パネルの庇
６、マスクと別パネルとの寸法差空間
７、滅菌フィルター
【図１】
0003228410.tif 000003
【図２】
0003228410.tif 000004
【図３】
0003228410.tif 000005
【図４】
0003228410.tif 000006
(57)【要約】      （修正有）【課題】本体の厚さを極めて薄くすることにより、カバーで覆っただけものに発生する段差をなくし、車いすでの移動をスムーズにし、延長コード自体を防水、防塵し、床上に使用することが可能な床置き延長コードを提供する。【解決手段】床置き延長コードは、本体１の側面ａにコンセント凹部３を設け、側面ｂにコンセント凸部５を固着し、コンセント凹部３とコンセント凸部５を結ぶコード６を本体内部に内接した。【選択図】図１
0003228405.tif 000002
【実用新案登録請求の範囲】
【請求項１】
本体側面ａにコンセント凹部を設け、本体側面ｂにコンセント凸部を固着し、凹凸部を結ぶコードを本体内部に内接した床置き延長コード。
【請求項２】
振り分け本体側面ａにコンセント凹部を設け、９０度あるいは１８０度側面ｂにコンセント凸部を固着し、凹凸部を結ぶコードを本体内部に内接した振り分けジョイント。
【考案の詳細な説明】
【技術分野】
【０００１】  本考案は、人が室内移動時に足元の安全とスムーズに移動するための床置き延長コードに関するものである。
【背景技術】
【０００２】  従来の技術としては、延長コードを床に直接配線してカバーを覆ったものや、防水、防塵の効果を有する延長コード防水ケース（例えば特許・実用新案文献  １参照）、あらゆる場所での電源確保ができる１００Ｖ用延長コード（例えば特許文献  ２参照）がある。
【先行技術文献】
【特許・実用新案文献】
【０００３】
【特許文献１】実用新案登録第３１３２３３９号
【特許文献２】特許公開２０１３−０９３２９８
【考案の概要】
【考案が解決しようとする課題】
【０００４】  以上に述べた従来の延長コードを床に直接配線してカバーを覆ったものは、段差により車いすで移動する人には障害になっていた。【０００５】  防水、防塵の効果を有する延長コード防水ケースは、延長したいコードよりもコンセントの防水、防塵を優先しており、床上にはコードだけを配線されることになるという問題点を有していた。【０００６】  あらゆる場所での電源確保ができる１００Ｖ用延長コードは、壁や柱に画鋲、ビス等で固定するものであり床上に使用するには適していない。
【課題を解決するための手段】
【０００７】  本考案は、このような従来の技術が有していた問題点を解決しようとするものであり、本体及び振り分けジョイント本体の厚さを極めて薄くすることにより、例えばカバーで覆っただけであるために発生する段差をなくし、車いすでの移動をスムーズにしている。また、コンセント部分だけを防水、防塵するのでなく延長コード自体を防水、防塵している。さらに、壁や柱に画鋲、ビス等で固定するのでなく本考案の目的である床上に使用することを最優先し、車いすなどの乗り上げによる圧力から保護するために、塩化ビニール樹脂を使用して破壊されることを防止して問題点を解決している。
【考案の効果】
【０００８】  上述したように、本考案の床置き延長コードは、例えば介護施設や老人ホームにおける車いすが必要な人や足の弱った老人の移動をスムーズにするのに役立つ。【０００９】  また、上述のような施設だけでなく、一般のオフィスで車いすを必要とするビジネスパーソンの移動もスムーズにするための効果を発揮する。【００１０】  一般家庭での食事の際、焼き肉プレート等の電源が必要な場合、食卓の周りを移動する乳幼児や子供あるいは老人の安全を確保する。【００１１】  扇風機や温風ヒーター等の既設電化製品の使用時において安全に電源確保ができる。【００１２】  常設のテレビ、その他の電化製品の使用場所付近にコンセントがなく、延長コードを使用する際、部屋の壁面近くに本考案の延長コードを使用することにより安全だけでなく美観をも確保できる。【００１３】  室内清掃のための掃除機やホウキの使用を容易にするといった効果をも発揮する。
【図面の簡単な説明】
【００１４】
【図１】  本考案の実施例を示す床置き延長コードの断面を含めた斜視図である。
【考案の実施するための最良の形態】
【００１５】  床置き延長コード、振り分けジョイント本体には優れた耐水性、耐酸性、耐アルカリ性、耐溶剤性を持ち、また難燃性であり電気絶縁性である塩化ビニール樹脂を使用し、側面にはコンセント凹部が設けられており、反対側にはコンセント凸部が固着され、凹凸部を結ぶコードが本体内部に内接されている。また、振り分けジョイントの側面にはコンセント凹部が設けられており、９０度あるいは１８０度側面にはコンセント凸部が固着され、凹凸部を結ぶコードが本体内部に内接されている。
【実施例】
【００１６】  以下、添付図面に従って一実施例を説明する。１は本体であり高さ１２ｍｍ〜２０ｍｍであり幅７５ｍｍ〜１００ｍｍ、長さ０．５ｍ〜２．０ｍを有する塩化ビニール樹脂が使用されており、成形機にて加工された射出成形品である。２の本体側面ａには３のコンセント凹部が設けられ、４の本体側面ｂには５のコンセント凸部が固着されている。３のコンセント凹部と５のコンセント凸部は６のコードで係設されている。７の振り分けジョイント本体は高さ１２ｍｍ〜２０ｍｍであり幅７５ｍｍ〜１００ｍｍ、長さ７５ｍｍ〜１００ｍｍを有する塩化ビニール樹脂が使用され、８のコンセント凹部が設けられており、９０度あるいは１８０度側面には９のコンセント凸部が固着され、凹凸部はコードで係設されている。
【符号の説明】
【００１７】    １．本体
２．本体側面ａ
３．コンセント凹部
４．本体側面ｂ
５．コンセント凸部
６．コード
７．振り分けジョイント本体
８．コンセント凹部
９．コンセント凸部
【図１】
0003228405.tif 000003
(57)【要約】【課題】スプレーボトル、ポンプボトル容器内の残り少なくなった液体を全部吸い上げ放出できる装置を提供する【解決手段】スプレーボトル、ポンプボトル容器内の空洞円管１の下部先端にスポンジ２を接着固定し、容器底部に密着させ空洞円管１を通じスプレー、ポンプの吸い上げ装置で外に放出することにより解決する【選択図】図１
0003228431.tif 000002
【実用新案登録請求の範囲】
【請求項１】
スプレーボトル、ポンプボトルの容器内に設置している空洞円管１の下部先端にスポンジ２を直接接着固定し、容器３の底部に密着させる、残り少なくなった液体が毛細管現象によりスポンジに液体が集まり接着固定している空洞円管１によりスプレー、ポンプ装置で外に吸い上げ放出が可能な装置
【請求項２】
スポンジと空洞円管の接着固定は、後で装着できるように分離型とする、スプレーポンプの吸い上げ用空洞円管５の外径が、隙間なくはいる内径の空洞円管７を予めスポンジ６の内部に接着８固定し、後で吸い上げ用空洞円管５が装着固定できるようにした請求項１記載の装置
【請求項３】
スポンジの内部構造の空洞の大きさや形は使用する液体の性質や軟度により毛細管現象の効果が最大に活用できるスポンジの空洞形状の素材を使用する請求項１〜２の記載の装置
【考案の詳細な説明】
【技術分野】
【０００１】  この考案は、スプレーボトル、ポンプボトル内の液体を残さず吸い上げ放出する装置である
【背景技術】
【０００２】  従来のスプレーボトル、ポンプボトルは、吸い上げ用の空洞円管のみがボトルの底部までの装置で、容器内の液体の吸い上げが不十分で容器の底に液体が残っていた
【考案の概要】
【考案が解決しようとする課題】
【０００３】  従来のスプレー、ポンプボトルは容器内の液体が吸い上げが不十分で底部に残り、もったいない、本考案は液体を残さず容器から放出することである
【課題を解決するための手段】
【０００４】  請求項１の考案は、従来は空洞円管のみで、それがたとえ容器の底部に接触していても液体を吸い上げる力が無かった、そこで空洞円管１の下部先端にスポンジ２を接着固定し容器の底部に密着することにより、毛細管現象で液体がスポンジの空洞に集まり、その液体を空洞円管を通じ吸い上げ放出が可能な装置である【０００５】  請求項２は、空洞円管とスポンジを後付け装着できるように分離製作する、スプレーポンプの吸い上げ用空洞円管５の外径がすきまなく入る内径の空洞円管７を予めスポンジ６の内部に埋込み接着８固定し、後で吸い上げ空洞円管５の装着が可能な構造である【０００６】  請求項３は、スポンジの内部構造の空洞の大きさ形は液体の性質や軟度により、毛細管現象の効果が最大に出せるスポンジを使用する
【考案の効果】
【０００７】  空洞円管の下部先端にスポンジが接着固定されたことで、残さず液体が吸い上げ放出され経済的にも無駄がなくなった
【図面の簡単な説明】
【０００８】
【図１】本発明の斜視図である
【図２】同上の断面図である
【図３】請求項２の斜視図である
【図４】同上の断面図である
【考案を実施するための形態】
【０００９】  容器３でスプレーボトル、ポンプボトルの装置より下部に伸びる空洞円管１の下部先端にスポンジ２を接着固定し、それを容器の底部３に密着することが必要である
【００１０】  スプレー、ポンプの吸い上げ用空洞円管５とスポンジ６を後付け装着出来るように吸い上げ用空洞管５の外径が隙間なく入る内径の空洞円管７をスポンジ６に埋め込み接着８固定し後で吸い上げ用空洞円管５の装着が可能である
【００１１】  空洞円管１の先端に接着固定するスポンジ２の素材は、容器の中の液体の性質や軟度に応じ毛細管現象が最大に活用できるスポンジの空洞形状の素材を使用する
【実施例】
【００１２】  以下添付図面に従って一実例を説明する。１はスプレーボトル、ポンプボトル内にある吸い上げ用空洞円管、２はスポンジでボトル内の液体を毛細管現象で、その素材に吸着することを利用、３は容器、４はスプレー、ポンプの吸い上げ装置までの空洞円管で、これは残り少なくなった液体を残すことなく吸い上げる装置である【００１３】  ５は吸い上げ用空洞円管、６はスポンジ、７は空洞円管５の取外しを可能にするために空洞円管５の外径が隙間なく入る内径の空洞円管でスポンジに埋め込む、スポンジ６とスポンジに埋め込む空洞円管７は接着８する【００１４】  本考案の一実例は上述の如き構成からなるものであるから残り少なくなった液体を残すことなく吸い上げ放出でき、空洞円管下部先端に取り付けたスポンジは着脱ができる、またスポンジは液体の性質や軟度に応じ毛細管現象が最大に活用できるスポンジの空洞形状の素材を使用する
【符号の説明】
【００１５】１空洞円管
２スポンジ
３容器
４空洞円管のスプレー、ポンプ装置までの延長
５空洞円管
６分離型スポンジ
７空洞円管の後付け用スポンジ埋込み固定円管
８スポンジとの接着
【図１】
0003228431.tif 000003
【図２】
0003228431.tif 000004
【図３】
0003228431.tif 000005
【図４】
0003228431.tif 000006
(57)【要約】      （修正有）【課題】装飾目的で使用する装飾用マスクカバーを提供する。【解決手段】平面状の本体部と、本体部の対向する両側部に設けられた左右一対の耳掛け部とを含み、本体部が、装飾片を有するネット状部材からなるマスクカバーである。一般的なマスクに重ねて着用することによって、個性を表現し、華やかな印象を与えることを可能にする。また、装着の手間などを要しないため、常に衛生的なマスクとともに使用することができ、服装や場面に応じて着脱することも容易である。【選択図】図１
0003228433.tif 000002
【実用新案登録請求の範囲】
【請求項１】
平面状の本体部と、前記本体部の対向する両側部に設けられた左右一対の耳掛け部とを含み、
前記本体部が、装飾片を有するネット状部材からなる、
マスクカバー。
【考案の詳細な説明】
【技術分野】
【０００１】
本考案は、装飾目的で使用するマスクカバーに関する。
【背景技術】
【０００２】
マスクは、病気の感染拡大の予防、花粉やＰＭ２．５のような微粒子の吸引防止などを目的に、広く使用されている衛生用品である。また、口腔や喉の湿潤を保つことや、化粧をしていない顔を隠すことなど、より広範な用途で用いられることもある。
【０００３】
マスクは一般に、ガーゼなどの織布または不織布で構成されたマスク本体に、マスク本体を口と鼻を覆う位置に固定するための耳かけ紐が付属している。多くの場合、耳かけ紐は伸縮性を有する素材で製造され、伸ばしながら耳にかけ、縮む力によって本体を固定する構造となっている。あるいは、紐を耳にかけるのではなく、紐を後頭部に回して固定する構造のものも存在する。後頭部でマスクを固定するものは、医療現場のような長時間の使用を想定する場合や、顔面への密着性が求められる場合に使用される。
【０００４】
マスクは顔の下側の大部分を覆うため、他人から見た視覚的印象に大きな影響を与える。しかし、一般に流通しているマスクは、白色を中心に少数のカラーバリエーションがある程度で、多くは無地である。すなわち、印象形成に影響を与えるにもかかわらず、ファッション性に乏しい製品が大多数である。
【０００５】
特許文献１には、マスクの表面側に着脱可能な着せ替えマスクカバーが開示されている。しかしながら、このマスクカバーは、マスクの耳掛け部をマスクカバー本体と連結するための連結部を備える。すなわち、使用者はマスクカバーを使用する際に、マスクカバーとマスクとを連結する作業が必要となる。したがって、着用の際の手間をより簡易にするという観点において、改善の余地がある。
【０００６】
本考案によれば、従来製品のマスクと併用することによって、マスクに装飾性を付与することができる。
【先行技術文献】
【特許文献】
【０００７】
【特許文献１】実用新案登録第３１６９７７５号公報
【考案の概要】
【考案が解決しようとする課題】
【０００８】
現在市販されているマスクは、画一的で無個性であり、ファッション性に乏しいものが多い。本考案は、一般的なマスクと併用することによって、マスクの機能をそのまま利用しながら、装飾性を付与するためのマスクカバーを提供することを目的とする。
【課題を解決するための手段】
【０００９】
上記課題を解決するため、本考案は、平面状の本体部と、前記本体部の対向する両側部に設けられた左右一対の耳掛け部とを含み、前記本体部が、装飾片を有するネット状部材からなる、マスクカバーを提供する。
【考案の効果】
【００１０】
本考案によるマスクカバーは、一般的なマスクに重ねて着用することによって、個性を表現し、華やかな印象を与えることを可能にする。また、本考案によるマスクカバーは、装着の手間などを要しない。そのため、常に衛生的なマスクとともに使用することができ、服装や場面に応じて着脱することも容易である。
【図面の簡単な説明】
【００１１】
【図１】本考案のマスクカバーを示す平面図である。
【考案を実施するための形態】
【００１２】
本考案によるマスクカバーは、一般的なマスクを上から覆うように着用する。したがって、本体部は、一般的なマスクと同様の長方形など、任意の形状であってよい。本体部は、着用時に顔面の右側に近接する箇所と、顔面の左側に近接する箇所とに、それぞれ耳掛け部を有する。耳掛け部は、例えば、ゴム紐で形成されたリング状の部材でありうる。
【００１３】
本体部は、装飾片同士を糸などで連結することによって形成された、ネット状の部材である。ネット状であることによって、マスクの通気性を低下させず、着用者に息苦しさを感じさせることを回避することができる。本体部は、マスクの寸法に合わせて広げることや、顔面の曲線に合わせて着用することが可能となるように、適度な伸縮性を有することが好ましい。
【００１４】
装飾片を連結する方法は任意の方法であってよい。例えば、装飾片が穴を有し、その穴に糸を通すことで連結してもよい。あるいは、本体部の形状となるように配置した糸に、装飾片を硬化性樹脂や接着剤によって接合してもよい。
【００１５】
装飾片の材料は、樹脂、ガラス、金属、天然石など、任意のものであってよい。より具体的には、直径数ｍｍ程度のラインストーンなどが挙げられる。なお、ラインストーンとは模造宝石の一種で、表面がファセットカットされ、裏面に金属蒸着部を有する、ガラスやアクリル樹脂製の成型品である。このように構成することによって、光の乱反射を生じさせ、宝石のような外観をもたらすことができる。
【００１６】
耳掛け部を本体に接合する方法としては、例えば、ネット状である本体部分の空隙にゴム紐等を通し、ゴム紐等の端部を結んでリング状にすることで、達成することができる。あるいは、本体部に別途形成された接続部を備え、接続部を介してゴム紐等を固定してもよい。
【００１７】
なお、本考案は上記の実施形態に限定されるものではなく、本考案の趣旨に基づいて種々変形させることが可能であり、それらを本考案の範囲から排除するものではない。
【図１】
0003228433.tif 000003
(57)【要約】      （修正有）【課題】プリザーブドフラワーを用いた造形フラワーの表現の幅を広げ、且つ価格を抑えることができる造形フラワーを提供する。【解決手段】生花や葉を特殊液の中に沈めて、水分を抜き短期劣化をなくした本物の花「プリザーブドフラワー」３と、「茶葉」２を飲食物としてではなく植物として捉え、プリザーブドフラワーと並べて装飾した。【選択図】図１
0003228498.tif 000002
【実用新案登録請求の範囲】
【請求項１】
生花や葉を特殊液の中に沈めて、水分を抜き短期劣化をなくした本物の花「プリザーブドフラワー」と、「茶葉」を飲食物としてではなく植物として捉え、プリザーブドフラワーと並べて装飾した造形フラワー。
【請求項２】
乾いた茶葉を、花を固定するための土台となる吸水性スポンジに接着するために、人工芝等の人工的素材を接着剤で吸水性スポンジに固定し、更に人工的素材の表面の凹凸を利用して、表面に接着剤などを付着し茶葉を土台に接着する請求項１の造形フラワー。
【考案の詳細な説明】
【技術分野】
【０００１】      本考案は新たな造形フラワーに関するものである。
【背景技術】
【０００２】  従来、記念日や冠婚葬祭、イベントにおいての贈り物や、会場・室内を彩るものとして花の造形物を用いられる。【０００３】  その種類には生花、ドライフラワー、造花などがあるが、主として好まれるものは本物の花である生花である。その中で近年注目を浴びているものとして、生花でありながら水やりなどの手間がなく短期劣化のしないプリザーブドフラワーを利用した造形物がある。
【考案の概要】
【考案が解決しようとする課題】
【０００４】  プリザーブドフラワーは品種が少ないため、同じような商品ばかりで独自性を出すことに制限がある。またプリザーブドフラワーは花材の製造業者が少数であることと、加工の難しさから、生花と比較して価格が高いため、造形物としての全体の価格が高くなる。
【課題を解決するための手段】
【０００５】  前記の課題を解決するために本考案の造形フラワーは、生花や葉を特殊液の中に沈めて、水分を抜き短期劣化をなくした本物の花「プリザーブドフラワー」と、「茶葉」を飲食物としてではなく植物として捉え、プリザーブドフラワーと並べて装飾することを特徴とする。
これにより、これまでの表現の幅を大きく広げ、高額なプリザーブドフラワーの花材利用が減少することで、全体の単価を抑えることができ広く多くの人にリーズナブルに長く楽しみを提供することができる。
【考案の効果】
【０００６】  プリザーブドフラワーを利用した造形フラワーの表現の幅が広がり、更に単価が下がることで多くの人が身近に楽しむことができるようになる。
また茶葉は本物の植物でありながらも枯れないという点がプリザーブドフラワーと共通し、造形物全体として短期劣化せず長期に渡り楽しむことができる。
更に飲食として市場に卸すことができず廃棄されていた茶葉を利用することで、食品ロス（フードロス）をなくすことができる。この取り組みは２０１５年国連サミットで採択された持続可能な開発目標ＳＤＧｓ「１２つくる責任つかう責任」に該当し、社会課題への取り組みを実現することができる。
【図面の簡単な説明】
【０００７】
【図１】本考案のプリザーブドフラワーと茶葉で表現をした造形フラワーを真上から見た図である。
【図２】本考案の一部切欠断面図である。
【考案を実施するための形態】
【０００８】  図１及び図２を参照しながら、本考案の一実施形態である造形フラワー１０について説明する。
図１は造形フラワー１０を真上から見た図である。
図２は造形フラワー１０の断面図である。
造形フラワー１０はプラスチック、木材、ガラス、陶器などを利用した花をいける花器や器１と茶葉２とプリザーブドフラワー３と人工芝４などの人工素材と吸水スポンジの具体例であるオアシス（登録商標）５から構成される。造形フラワー１０はプリザーブドフラワーの華やかさと、シンプルな一色の茶葉の色合わせを考慮しながら造形表現をする。茶葉は品種の使い分けを行うことで色味の幅を広げることができる。（緑茶＝緑系／ほうじ茶＝茶色系  例えば、華やかなバラなどの洋花には茶色（ほうじ茶）との組み合わせ、仏花などに使う菊などには、落ち着きがあるが色味のある緑（緑茶）など。）
茶葉２と吸水スポンジの具体例であるオアシス（登録商標）５との取り付け方法は、固定するための吸水性スポンジの具体例であるオアシス（登録商標）５に接着するために、人工芝４などの人工的素材を接着剤Ａで吸水スポンジの具体例であるオアシス（登録商標）５に固定する。
これにより、フラットな吸水スポンジの具体例であるオアシス（登録商標）５に凹凸をつけることができ、土台と細かな茶葉との接する面が凹凸により増え、接着の強度をあげることができる。
更に土台に貼り付けた人工芝４などの人工的素材の表面に、茶葉２を置いて、その上からスプレー糊などの接着剤Ｂを付着し、茶葉２を土台に接着する。
これにより接着剤やオアシスが見えず美しく尚且つ、茶葉２が剥がれないように取り付けを行うことができる。
また切断加工のしやすい吸水スポンジの具体例であるオアシス（登録商標）５の特性を生かし造形物として高さや形を調整することができる。
また、吸水スポンジの具体例であるオアシス（登録商標）５と茶葉２の間に人工芝４などの人工的素材を挟むことは、カビの発生源となるタンパク質・皮脂・炭水化物を多く含む茶葉と、水分を溜める性質があり湿度を上げてしまう性質の吸水スポンジの具体例であるオアシス（登録商標）５が直接触れることを防ぎ、カビを防ぐ効果になる。
人工的素材の具体例として人工芝について説明したが、本考案における人工的素材は人工芝に限定されない。例えば、フェルト、布、木材などを使用することもできる。
接着剤についてはボンド（登録商標）、スプレー糊、瞬間接着剤、布用糊、水糊などを使用することができる。
特に接着剤Ａではボンド（登録商標）が好ましい。
接着剤Ｂでは接着面が平坦ではなく、凹凸のある茶葉を土台に接着するため、上方から全体に接着することができるスプレー糊が好ましい。
【符号の説明】
【０００９】  １  器・花器
２  茶葉
３  プリザーブドフラワー
４  人工芝
５  オアシス（登録商標）又は発泡スチロール
１０造形フラワー
【図１】
0003228498.tif 000003
【図２】
0003228498.tif 000004
(57)【要約】【課題】  口元を相手に見せることができるとともに、通気性の点では息苦しくなく飛沫感染の点では予防を確実に行える透明マスクを提供する。【解決手段】  透光性を有するフィルム３を用いた透ける透明マスク１では、フィルム３は、気体は透過し、液体は非透過な素材であり、フィルム３が、装着時に口を覆う位置に設けられる。【選択図】  図１
0003228454.tif 000002
【実用新案登録請求の範囲】
【請求項１】
透光性を有するフィルムを用いた透ける透明マスクであって、
前記フィルムは、呼吸に伴う気体を透過し、唾液を非透過な素材であり、
前記フィルムが、装着時に口を覆う位置に設けられる、透明マスク。
【請求項２】
前記フィルムが、装着時に鼻孔を覆う位置に設けられ、鼻水を非透過な素材である、請求項１記載の透明マスク。
【請求項３】
前記フィルムは、熱可塑性エーテル系ポリウレタンフィルムである、請求項１又は２記載の透明マスク。
【考案の詳細な説明】
【技術分野】
【０００１】
本考案は、透明マスクに関し、特に、透光性を有するフィルムを用いた透ける透明マスクに関する。
【背景技術】
【０００２】
現在、多くの方に新型コロナウイルスの対応のために、マスクを装着する日々が必要になっている。このようなマスクの必要性にあたって、夏になると、涼しく感じる素材などを用いたものもでてきている。
【０００３】
一方、マスク以外にも、フェイスシールドというような透明樹脂のシールドもあるが、マスク形態の透明マスクへのニーズが、大きくなっている。このニーズは、サービス業などにおいて、口元を見せて笑顔での接客を可能にできることから生じている。
【０００４】
透明マスクとして、過去に提案されているものとしては、例えば、特許文献１がある。
【先行技術文献】
【特許文献】
【０００５】
【特許文献１】特開２０１７−２２２９４７号公報
【考案の概要】
【考案が解決しようとする課題】
【０００６】
しかしながら、特許文献１のものは、透光性を有する透過繊維からなる布状体を用いており、基本的には布という位置付けの素材であるため、投光繊維間に形成された気孔がある。そのため、透明性と通気性を向上させて、さらに微小異物に対するフィルタ性を高くしているが、開示されている気孔のサイズからすると、水分の透過が基本的に生じるものであった。そのため、飛沫感染を予防することからすれば、咳、くしゃみの場合はもちろんのこと、通常の会話においても、唾液や鼻水が外部に広がらないようにすべき点で不十分なものであった。なお、特許文献１の従来の技術では、透明樹脂シートを用いたマスク（特開２００９−１１４７５号公報）についての問題が記載されているが、殆ど通気性がない点が問題になっている
【０００７】
ゆえに、本考案は、口元を相手に見せることができるとともに、通気性の点では息苦しくなく飛沫感染の点では予防を確実に行える透明マスクを提供することを目的とする。
【課題を解決するための手段】
【０００８】
本考案の第１の観点は、透光性を有するフィルムを用いた透ける透明マスクであって、前記フィルムは、呼吸に伴う気体を透過し、唾液を非透過な素材であり、前記フィルムが、装着時に口を覆う位置に設けられるものである。
【０００９】
本考案の第２の観点は、第１の観点において、前記フィルムが、装着時に鼻孔も覆う位置に設けられ、鼻水を非透過な素材であるものである。
【００１０】
本考案の第３の観点では、第１又は第２の観点において、前記フィルムは、熱可塑性エーテル系ポリウレタンフィルムである。
【考案の効果】
【００１１】
本考案によれば、気体は透過する素材のフィルムが用いられることにより、従来の透明樹脂シートのような通気性がないものと異なり、息苦しくないものとできる。また、唾液のような液体は非透過な素材のフィルムが用いられることにより、従来の透過繊維からなる布状体のような飛沫予防の点で不十分なものではなく、予防を確実なものとできる。さらに、透光性を有するフィルムが装着時に口を覆う位置に設けられるものであることから、相手に口元を見せてコミュニケーションをとることができる。
【図面の簡単な説明】
【００１２】
【図１】本考案の実施の形態にかかる透明マスクを示す図である。
【図２】図１の透明マスクのフィルムが透光性を有することを示す図である。
【考案を実施するための形態】
【００１３】
マスク１は、内側にシート状の略長方形のフィルム３が設けられ、フィルム３の３辺は布製の縁取り部５ａ、５ｂ、５ｃで囲まれて縫い付けられている。縁取り部５ｄとフィルム３の残りの１辺との間には三角エリア９（図２参照）が設けられている。縁取り部５ａと縁取り部５ｂとが繋がった部分からは紐部７ａが外に出ており、縁取り部５ｂと縁取り部５ｃとが繋がった部分からは紐部７ｂが外に出ており、縁取り部５ｃと縁取り部５ｄとが繋がった部分からは紐部７ｃが外に出ており、縁取り部５ｄと縁取り部５ａとが繋がった部分からは紐部７ｄが外に出ている。紐部７ａと紐部７ｄとは、縁取り部５ａが袋体になっていて、伸縮する一本の繋がったものになっており、紐部７ｂと紐部７ｃとは、縁取り部５ｃが袋体になっていて、伸縮する一本の繋がったものになっている。紐部７ａと紐部７ｄとが長さが調整されて結ばれて一方の耳に掛けられ、紐部７ｂと紐部７ｃとが長さが調整されて結ばれて他方の耳に掛けられて、装着が可能になっている。装着時には、フィルム３は、口を覆うだけでなく、鼻孔も覆う位置になっている。
【００１４】
ここで、マスク１は、図２に示すように、三角エリア９が設けられており、立体感が出るデザインになっている。この三角エリア９と下部のタック１１との相乗効果により立体感を出して呼吸時にフィルム３が口や肌に吸い付くことを防止するようにしている。
【００１５】
また、図２に示すように、フィルム３は、透光性を有する熱可塑性エーテル系ポリウレタンフィルムである。このフィルム３は、このような素材の特性として、空気のような気体は透過するが唾や鼻水のような液体は非透過なものにできている。具体的には、このフィルム３は、日清紡のモビロン（登録商標）フィルムで、必要な厚みのものを選択することにより、日常的な使用の環境下において支障がないものとして実現できる。そのため、まず、従来の透明樹脂シートのような通気性がないものと異なり、息苦しくないものになっている。また、液体は非透過な素材のフィルムが用いられることにより、従来の透過繊維からなる布状体のような飛沫予防の点で不十分なものではなく、予防を確実なものにできている。さらに透過性があるため口元が透けて見えるものであり、相手に口元を見せてコミュニケーションをとることができるものになっている。
【００１６】
このような透明マスクの必要性は、飲食業（レストラン・外食チェーン・ファーストフードなど）、食品小売店（ベーカリーショップ・生鮮・惣菜など）、百貨店・食品スーパー・ホテル、給食・学生食堂・社員食堂、理容美容室・エステサロン・ビューティーサロン、医療機関（歯科・小児科・病院）、福祉施設・介護施設、工場などのバックヤード（食品工場・先端技術開発セクションなど）などにおいて高いと思われる。
【符号の説明】
【００１７】
１・・・マスク、３・・・フィルム
【図１】
0003228454.tif 000003
【図２】
0003228454.tif 000004
(57)【要約】      （修正有）【課題】睡眠中の災害時の緊急事態において使用者が、貴重品など手早く持ち出しができるように貴重品収納エリアを設けた枕を提供する。【解決手段】枕８は、枕側地の表面の２か所に大小収納エリア５、６を設け、大きい収納エリア５には枕が収納でき、小さい収納エリア６には貴重品などが収納でき、睡眠中の災害発生時などには、ベルトポケット４からショルダーベルト１を取りだし肩に掛けた状態で貴重品を持ち運ぶ事ができる。【選択図】図１
0003228428.tif 000002
【実用新案登録請求の範囲】
【請求項１】
直線縫い２分割で大きい収納エリア５と小さい収納エリア６でなる枕８と、枕８の側部に設けた枕側部ファスナー３と、枕８の上部にショルダーベルト１を収納するための枕上部ファスナー２付のベルトポケット４に備えた構成で、枕側部ファスナー３の開閉口から大きい収納エリア５には枕を収納し、小さい収納エリア６には貴重品などが収納でき、睡眠中の災害発生時などには、枕上部ファスナー２を開けベルトポケット４に格納されているショルダーベルト１を取り出し、肩に掛けながら移動、持ち運びができる特徴を持った枕。
【考案の詳細な説明】
【技術分野】
【０００１】  本考案は、睡眠中の災害発生時など緊急事態において使用者自身が、貴重品など手早く持ち出しができるように貴重品収納エリアを設けた枕に関するものである。
【背景技術】
【０００２】  従来の防災枕には、貴重品などが収納できる袋を、災害発生時、枕から取り外しが出来るように複数のボタンで取り付けられたものがある。【０００３】  災害発生時、貴重品など収納された袋を枕から複数の取り付けボタンを取り外して持ち出せる気持ちの余裕などは、現実的に無理があり、取り外したとしても、避難時の持ち運びに煩わしさが生じる。
【考案の概要】
【考案が解決しようとする課題】
【０００４】  災害発生時、使用者が容易に貴重品を持ち出せ、避難時での移動中にも、身を守りながら、確実に持ち運べる枕が望まれる。
【課題が解決するための手段】
【０００５】  直線縫い２分割で大きい収納エリア５と小さい収納エリア６でなる枕８と、枕８の側部に設けた枕側部ファスナー３と、枕８の上部にショルダーベルト１を収納するための枕上部ファスナー２付きのベルトポケット４に備えた構成で、枕側部ファスナー３の開閉口から大きい収納エリア５には枕を収納し、小さい収納エリア６には貴重品などが収納でき、睡眠中の災害発生時などには、枕上部ファスナー２を開けベルトポケット４に格納されているショルダーベルト１を取り出し、肩に掛けながら移動、持ち運びができる特徴を持った枕。
【考案の効果】
【０００６】  以上のように、本考案は、睡眠中の災害発生時、枕８に収納された貴重品などを手早く持ち出すことができ、ショルダーベルト１を肩に掛けながらの移動ができ、避難時など両手が使え安全に行動することができる。
【図面の簡単な説明】
【０００７】
【図１】本考案の斜視図である。
【図２】図１のＡ−Ａ点線の断面図である。
【図３】睡眠時の使用状態の図である。
【図４】災害発生移動時の使用状態の図である。
【考案を実施するための形態】
【０００８】  枕８において、枕側地の表面を直線縫い２分割で大きい収納エリア５と小さい収納エリア６を作り、枕側部ファスナー３を設け、枕側部ファスナー３の開閉口から大きい収納エリア５には枕を収納、小さい収納エリア６には貴重品などが収納でき、睡眠中の災害発生時などには、容易に持ち出せ、枕上部ファスナー２を開け、ベルトポケット４から、格納されているショルダーベルト１を取り出し、肩に掛けながら移動、持ち運びができる。又、不意の落下物からも枕で頭上をある程度危険から守ることができる。
【実施例】
【０００９】  以下、本考案の実施例を説明する。
図１は、本考案の枕８の斜視図であり、図２は、図１Ａ−Ａ点線の断面図、図３は、使用状態の図、図４は、災害発生移動時での持ち運びの図である。枕８に、枕側地の表面を大きい収納エリア５と小さい収納エリア６を作り、枕側部ファスナー３を設け、小さい収納エリア６には貴重品などが収納でき、大きい収納エリア５には枕が収納できる。大きい収納エリア５と小さい収納エリア６の境目には、貴重品など出し入れが容易にできるように立体マチ７が設けられている。枕上部には、ベルトポケット４が設けられ、枕上部ファスナー２を開けるとショルダーベルト１が格納されており災害発生時などには肩に枕８を掛けながら、移動することができる。【００１０】  普段の睡眠時においては、貴重品など収納できる小さい収納エリア６が枕８の上部に位置するため、寝返りなど気にならず、安眠ができる。【００１１】  大きい収納エリア５で使用できる枕８の中材は、粒状や穀物類の殻等の天然素材及び化学成形素材、綿状の素材等が利用できる。本実施例では、通気性の良い筒状の化学成形素材であるパイプを使用した。
【符号の説明】１  ショルダーベルト
２  枕上部ファスナー
３  枕側部ファスナー
４  ベルトポケット
５  大きい収納エリア
６  小さい収納エリア
７  立体マチ
８  枕
【図１】
0003228428.tif 000003
【図２】
0003228428.tif 000004
【図３】
0003228428.tif 000005
【図４】
0003228428.tif 000006
(57)【要約】【課題】防災対策として、非常用発電機があっても、災害時、室内照明への接続は一般人では難しい。いざの時、簡単に切替える事ができる非常用発電機切替回路を提供する。【解決手段】本システムでは、シンプルな回路で電磁リレーや電子回路を使用しないで３方ナイフスイッチで切替え、安全で、誰でもが安心して対応出来る非常用発電機切替回路であり、新築住宅は勿論、既設住宅での改造でも、安価での施工を可能とした。【選択図】図１
0003228425.tif 000002
【実用新案登録請求の範囲】
【請求項１】
非常用発電機（可搬式カセットガスボンベ正弦波発電機）からの電気を通常の室内照明灯へ供給出来るよう３方型のカバー付ナイフスイッチにより切替る。
【請求項２】
室内へ非常用発電機からの電気が使えるレッドコンセントを設ける
【請求項３】
屋外へ非常用発電機との接続するケーブルを収納する接続ＢＯＸを設ける。
【考案の詳細な説明】
【考案の詳細な説明】
これまで、停電対策として、また、防災対策として、非常用発電機を用意して来ましたが、発電機を持って来ても、この電気をどの様に使用するか言うと、投光器やスタンドライト、蛍光灯スタンドなどの器具を発電機の差込に接続して使用する形を取って来ました。これですと、電気知識が薄い人や御老人では、非常時にどうして良いか分からないのが普通であったと思います。この点を改善する為、考案した事が、この「非常用発電機切替回路」を構築する事で、通常の室内照明は勿論、冷蔵庫やエアコンの電源も「レッドコンセント」に差し替える事で、先にあった「大規模停電」などにも、充分対応出来ます。
（尚、この切替にあえて、電磁リレーを使用しない事が、非常時のシャットダウンに対        しまして手動の３方型のカバー付ナイフスイッチを使用する事で確実性が高く、        電気的な切り離しも高く安全です。）
【図面の簡単な説明】
【図１】第１図は本考案の回路図
【図２】第２図は各部の取付状況写真
【図１】
0003228425.tif 000003
【図２】
0003228425.tif 000004
【手続補正書】
【提出日】令和2年7月7日(2020.7.7)
【手続補正１】
【補正対象書類名】実用新案登録請求の範囲
【補正対象項目名】全文
【補正方法】変更
【補正の内容】
【実用新案登録請求の範囲】
【請求項１】
非常用発電機からの電気を室内照明へ供給する時、３方ナイフスイッチにて簡単で確実に切替える事が出来る特徴を持つ非常用発電機切替回路。
【請求項２】
請求項１に記載した非常用発電機切替回路において、非常用発電機の発電開始と同時に点灯するＬＥＤ非常灯並びに非常用レッドコンセントの回路も併設する非常用発電機切替回路。
【請求項３】
請求項２に記載した非常用発電機切替回路において、屋外へ非常用発電機との接続するケーブルを収納する接続ＢＯＸを設置した非常用発電機切替回路。
(57)【要約】      （修正有）【課題】長時間装着しても圧迫感を緩和させ、ムレることなく、心地よく装着できる顔面保護シールドを提供する。【解決手段】顔面保護シールドの前頭接触部に、面接触から線接触の緩衝機能を有する固定部材１を形成する。前頭部４に接する部分を三角形状２とし、三角形状の下部を円形３にカットする事により、圧迫感を緩和した心地良い装着感を実現する。また通気性が向上する事によりシールド面内側が曇らず良好な視界が得られる。【選択図】図１
0003228426.tif 000002
【実用新案登録請求の範囲】
【請求項１】
人の頭部に固定して使用する顔面保護シールドであって、頭部周囲に装着するための装着バンドと、頭部装着時に顔面を覆うように、前記装着バンドの長さの一部に亘って取り付けられた透明または半透明の可撓性シールド部材と、頭部装着時に前頭部に接するように固定部材が取り付けられた顔面保護シールドにおいて、緩衝機能を有する固定部材の形状が頭部装着時に前頭部に接する部分を三角形状にして線接触を成し、且つ、三角形状の下部構造を円形及び六角形以上の多角形等にする事により、前頭部に接する部分の三角形状が自由に可動する事を特徴とする顔面保護シールド。
【考案の詳細な説明】
【技術分野】
【０００１】      本発明は、顔面を保護するための顔面保護シールドに係わり、ウィルス等が飛散して顔面に付着するのを防ぐための顔面保護シールドに関するものである。
【背景技術】
【０００２】具体的には、例えばろう学校などで生徒と先生が話をする時にウィルス感染を防ぐ目的でお互いにマスクをすると口の動きを読み取る『口話』が出来なくなりコミュニケーションが難しくなりマスクを外すと飛沫感染の恐れがある。よって顔面保護シールドを装着する事により飛沫感染から防御でき、お互いの口が確認できることで『口話』ができ、コミュニケーションを成立させることができる。
【先行技術文献】
【特許文献】
【０００３】
【特許文献１】特開２００５−２８７５６１（Ｐ２００５−２８７５６１Ａ）
【非特許文献】
【０００４】
【非特許文献１】
【考案の概要】
【考案が解決しようとする課題】
【０００５】従来の顔面保護シールドは、額当てパッドが額に密着するがゆえに蒸れ易く、不快に感じることも多かった。よって、使用者にとってより快適な顔面保護シールドを提供することである。
【課題を解決するための手段】
【０００６】上記目的を達成するために、顔面を保護する人の頭部に固定して使用する顔面保護シールドは、緩衝機能を有する固定部材の形状が頭部装着時において前頭部に接する部分を三角形状にして線接触する事により、長時間装着しても圧迫感を緩和させ、痛みもなく、ムレたりせずに心地よく装着し続けることができます。【０００７】前頭部に接する部分を三角形状にした事により接地面積が小さく汗によるべたつきを最大限抑えることができます。【０００８】三角形状の下部構造を円形等にする事により、前頭部に接する部分の三角形状がより自由に可動することが可能になります。
【考案の効果】
【０００９】前頭部に線接触するので空気の流れができ、体熱がこもりにくく、シールドが曇りにくい【００１０】前頭部に線接触するので汗による額のべたつきを最大限に抑える事ができ、前髪の上にあてても汗が出にくい構造になっている。【００１１】前頭部に接する部分を三角形状にした事により圧迫感を緩和させ、心地よく長時間の装着が可能になります。【００１２】前頭部に接する部分を三角形状部の下部構造を円形にする事により、三角形状部が自由度を増して前頭部に接する事により、よりフィット感が増してくる。
【図面の簡単な説明】
【００１３】
【図１】本考案の顔面保護シールドを装着した斜視図と上面図である。
【図２】従来品の顔面保護シールドを装着した斜視図と上面図である。
【図３】頭部装着時に前頭部に接する緩衝固定部材の断面図である。
【図４】本考案の顔面保護シールドを装着し、緩衝固定部材が前頭部に接したときの図である。
【考案を実施するための形態】
【００１４】ろう学校などで先生と生徒が話をする時には、生徒用として子供用のサイズも用意すれば良いと考えます。
【実施例】
【００１５】添付図面に従って一実施例を説明する。頭のサイズに合うようにベルトを調整し、緩衝固定部材を前頭部にあてて、ベルトを後頭部まで伸ばして固定をします。緩衝固定部材を前頭部にあてる際、髪の毛の有無は問わず、そのままあててください。シールドの角度を作業がしやすい位置で調整してください。
【産業上の利用可能性】
【００１６】  飛沫感染防止の意味でも長時間作業をされる方にとっては学校以外でも工場・店舗接客等幅広く利用が可能です。
【符号の説明】
【００１７】１  緩衝機能を有する固定部材
２  緩衝機能を有する固定部材の三角形状部
３  緩衝機能を有する固定部材の円形構造部
４  前頭部
５  従来の固定部材
【図１】
0003228426.tif 000003
【図２】
0003228426.tif 000004
【図３】
0003228426.tif 000005
【図４】
0003228426.tif 000006